(57)【要約】【課題】通信信頼性を向上しつつ、ラベル化による利便性の向上を図れる無線タグラベル及びタグテープを提供する。【解決手段】無線タグ回路素子Ｔは、ラベル厚さ方向上側と下側にそれぞれ通信周波数の異なる第１及び第２の無線タグ回路素子を備え、図２の上側より下側に向かって、カバーフィルム２０、貼り合わせ用粘着剤層２１、第１基材層２２、上粘着剤層２３、第１無線タグ回路素子Ｔo1を備えた略シート状の第１アンテナ基材１２、第１定置用粘着剤層２４、略テープ状の中間基材層２５、第２定置用粘着剤層２６、第２無線タグ回路素子Ｔo2を備えた略シート状の第２アンテナ基材１６、下粘着剤層２７、第２基材層２８、貼り付け用粘着材層２９、および剥離紙３０の積層構造に形成されている。【選択図】図２
2008191927.tif 000002
【特許請求の範囲】
【請求項１】
情報を記憶するＩＣ回路部と情報の送受信を行うアンテナとを備え、第１の通信周波数に対応した第１無線タグ回路素子を配置した略シート状の第１アンテナ基材と、
情報を記憶するＩＣ回路部と情報の送受信を行うアンテナとを備え、前記第１の通信周波数とは異なる第２の通信周波数に対応した第２無線タグ回路素子を配置した略シート状の第２アンテナ基材と、
前記第１アンテナ基材と前記第２アンテナ基材とのラベル厚さ方向中間部に設けられた略テープ状の中間基材層と、
前記中間基材層に対し前記第１アンテナ基材を定置させるための第１定置用粘着剤層と、
前記中間基材層に対し前記第２アンテナ基材を定置させるための第２定置用粘着剤層と
を有することを特徴とする無線タグラベル。
【請求項２】
請求項１記載の無線タグラベルにおいて、
前記中間基材層は、前記第１定置用粘着剤層及び前記第２定置用粘着剤層とともに両面粘着テープとして構成されていることを特徴とする無線タグラベル。
【請求項３】
請求項１又は請求項２記載の無線タグラベルにおいて、
前記第１アンテナ基材を夾んで前記第１定置用粘着剤層と反対側に設けられた第１テープを有する
ことを特徴とする無線タグラベル。
【請求項４】
請求項３記載の無線タグラベルにおいて、
前記第１テープは、
前記中間基材層と協働して前記第１無線タグ回路素子を配置するための第１基材層を備える
ことを特徴とする無線タグラベル。
【請求項５】
請求項４記載の無線タグラベルにおいて、
所定の印字がなされた被印字テープ層を有し、
前記第１テープは、
前記第１基材層の前記第１無線タグ回路素子と反対側に設けられ、前記被印字テープ層と前記第１基材層とを貼り合わせるための貼り合わせ用粘着剤層を備える
ことを特徴とする無線タグラベル。
【請求項６】
請求項４記載の無線タグラベルにおいて、
前記第１テープは、
前記第１基材層の前記第１無線タグ回路素子と反対側に設けられ、印字形成可能な被印字材料により構成された被印字層
を有することを特徴とする無線タグラベル。
【請求項７】
請求項１乃至請求項６のいずれか１項記載の無線タグラベルにおいて、
前記第２アンテナ基材を夾んで前記第２定置用粘着剤層と反対側に設けられた第２テープを有する
ことを特徴とする無線タグラベル。
【請求項８】
請求項７記載の無線タグラベルにおいて、
前記第２テープは、
前記中間基材層と協働して前記第２無線タグ回路素子を配置するための第２基材層を備える
ことを特徴とする無線タグラベル。
【請求項９】
請求項８記載の無線タグラベルにおいて、
前記第２テープは、
ラベル全体を貼り付け対象に貼り付けるための貼り付け用粘着剤層を備える
ことを特徴とする無線タグラベル。
【請求項１０】
請求項８又は請求項９のいずれか１項記載の無線タグラベルにおいて、
前記第２テープは、
前記第２無線タグ回路素子を貼り付け対象から離間させるための発泡材層を備える
ことを特徴とする無線タグラベル。
【請求項１１】
請求項１乃至請求項１０のいずれか１項記載の無線タグラベルにおいて、
前記第１無線タグ回路素子及び前記第２無線タグ回路素子を、平面視において互いに重なる部分がないように、テープ幅方向に離間させて配置した
ことを特徴とする無線タグラベル。
【請求項１２】
請求項１乃至請求項１０のいずれか１項記載の無線タグラベルにおいて、
前記第１無線タグ回路素子及び前記第２無線タグ回路素子を、平面視において互いに重なる部分がないように、テープ長手方向に離間させて配置した
ことを特徴とする無線タグラベル。
【請求項１３】
請求項１乃至請求項１２のいずれか１項記載の無線タグラベルにおいて、
前記第１及び第２無線タグ回路素子のうち、一方が短波を通信周波数とする短波用無線タグ回路素子であり、他方が極超短波を通信周波数とする極超短波用無線タグ回路素子である
ことを特徴とする無線タグラベル。
【請求項１４】
請求項１３記載の無線タグラベルにおいて、
前記第２テープは、
前記第２基材層又は前記貼り付け用粘着剤層若しくは前記発泡材層を、磁性材料により構成したことを特徴とする無線タグラベル。
【請求項１５】
請求項１４記載の無線タグラベルにおいて、
前記第１無線タグ回路素子は、電波の反射により通信を行う無線タグ回路素子であり、
前記第２無線タグ回路素子は、磁気誘導により通信を行う無線タグ回路素子である
ことを特徴とする無線タグラベル。
【請求項１６】
情報を記憶するＩＣ回路部と情報の送受信を行うアンテナとを備え、第１の通信周波数に対応した第１無線タグ回路素子を配置した略シート状の第１アンテナ基材と、
情報を記憶するＩＣ回路部と情報の送受信を行うアンテナとを備え、前記第１の通信周波数とは異なる第２の通信周波数に対応した第２無線タグ回路素子を配置した略シート状の第２アンテナ基材と、
前記第１アンテナ基材と前記第２アンテナ基材とのテープ厚さ方向中間部に設けられた略テープ状の中間基材層と、
前記中間基材層に対し前記第１アンテナ基材を定置させるための第１定置用粘着剤層と、
前記中間基材層に対し前記第２アンテナ基材を定置させるための第２定置用粘着剤層と
を有することを特徴とするタグテープ。
【請求項１７】
請求項１６記載のタグテープにおいて、
前記第１アンテナ基材を夾んで前記第１定置用粘着剤層と反対側に設けられ、前記中間基材層と協働して前記第１無線タグ回路素子を配置するための第１基材層を有する
ことを特徴とするタグテープ。
【請求項１８】
請求項１７記載のタグテープにおいて、
前記第１基材層の前記第１無線タグ回路素子と反対側に設けられ、所定の印字がなされた被印字テープ層と前記第１基材層とを貼り合わせるための貼り合わせ用粘着剤層を有する
ことを特徴とするタグテープ。
【請求項１９】
請求項１７記載のタグテープにおいて、
前記第１基材層の前記第１無線タグ回路素子と反対側に設けられ、印字形成可能な被印字材料により構成された被印字層
を有することを特徴とするタグテープ。
【請求項２０】
請求項１６乃至請求項１９のいずれか１項記載のタグテープにおいて、
前記第２アンテナ基材を夾んで前記第２定置用粘着剤層と反対側に設けられ、前記中間基材層と協働して前記第２無線タグ回路素子を配置するための第２基材層を有する
ことを特徴とするタグテープ。
【発明の詳細な説明】
【技術分野】
【０００１】
本発明は、外部と情報送受信可能な無線タグ回路素子を備えた無線タグラベル及びこれを作成するためのタグテープに関する。
【背景技術】
【０００２】
管理対象の物品に無線タグを設け、その保持された情報を非接触で読み取って物品管理を行うＲＦＩＤ（Ｒａｄｉｏ  Ｆｒｅｑｕｅｎｃｙ  Ｉｄｅｎｔｉｆｉｃａｔｉｏｎ）システムが既に知られている。
【０００３】
このシステムにおいては、無線タグに備えられる無線タグ回路素子が、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、既に様々な分野において実用化が広く進められている。
【０００４】
このような無線タグの一例としては、例えば特許文献１に記載のものがある。この従来技術による無線タグは、対象物に関する情報を記憶するＩＣ回路部（半導体チップ）と情報送受信を行うアンテナとからなる無線タグ回路素子を２組設け、一方の無線タグ回路素子のアンテナ（第一アンテナ）と、他方の無線タグ回路素子のアンテナ（第二アンテナ）の動作周波数を異ならせている。これにより、例えば複数の無線タグまでの距離がそれぞればらついているような場合等であっても、通信信頼性を向上できるようになっている。
【０００５】
【特許文献１】特開２０００−３３９４２２号公報
【発明の開示】
【発明が解決しようとする課題】
【０００６】
ところで、上記のような無線タグを、ラベル状の素材上に無線タグ回路素子を設けることでラベル化（無線タグラベル）するようにすれば、あらゆる物品に容易に貼り付けて分類・整理することが可能となるため、非常に便利である。
【０００７】
しかしながら、上記従来技術においては、上記のように、無線タグをタグラベルとして構成することについては特に配慮されていない。このため、複数周波数対応による通信信頼性の向上とラベル化による利便性の向上との両立が図られていなかった。
【０００８】
本発明の目的は、通信信頼性を向上しつつ、ラベル化による利便性の向上を図れる無線タグラベル及びタグテープを提供することにある。
【課題を解決するための手段】
【０００９】
上記目的を達成するために、第１の発明は、情報を記憶するＩＣ回路部と情報の送受信を行うアンテナとを備え、第１の通信周波数に対応した第１無線タグ回路素子を配置した略シート状の第１アンテナ基材と、情報を記憶するＩＣ回路部と情報の送受信を行うアンテナとを備え、前記第１の通信周波数とは異なる第２の通信周波数に対応した第２無線タグ回路素子を配置した略シート状の第２アンテナ基材と、前記第１アンテナ基材と前記第２アンテナ基材とのラベル厚さ方向中間部に設けられた略テープ状の中間基材層と、前記中間基材層に対し前記第１アンテナ基材を定置させるための第１定置用粘着剤層と、前記中間基材層に対し前記第２アンテナ基材を定置させるための第２定置用粘着剤層と
を有することを特徴とする。
【００１０】
本願第１発明においては、中間基材層の一方側に第１定置用粘着剤層を介して第１無線タグ回路素子入りの第１アンテナ基材を配置し、中間基材層の他方側に第２定置用粘着剤層を介して第２無線タグ回路素子入りの第２アンテナ基材を配置する。これにより、互いに異なる周波数を用いる複数の無線タグ回路素子を積層構造内に配置した無線タグラベルを実現することができる。このように構成した無線タグラベルでは、ラベル化により利便性を向上できるとともに、それぞれに利点と欠点とがある複数の通信周波数を併用することで互いの通信周波数の欠点を補うことができるので、信頼性の高い情報通信を確実に行うことができる。この結果、さらにラベルを場所を選ばずに多種多様なところに貼り付けることができる。
【００１１】
第２発明は、上記第１発明において、前記中間基材層は、前記第１定置用粘着剤層及び前記第２定置用粘着剤層とともに両面粘着テープとして構成されていることを特徴とする。
【００１２】
ラベル厚さ方向中間部に両面粘着テープを配置し、その第１定置用粘着剤層及び第２定置用粘着剤層を用いて第１アンテナ基材及び第２アンテナ基材を両面粘着テープの厚さ方向両側に粘着させ配置することで、互いに異なる周波数を用いる複数の無線タグ回路素子を積層構造内に配置した無線タグラベルを実現することができる。
【００１３】
第３発明は、上記第１又は第２発明において、前記第１アンテナ基材を夾んで前記第１定置用粘着剤層と反対側に設けられた第１テープを有することを特徴とする。
【００１４】
これにより、貼り付け側の反対側より貼り付け側に向かって、第１テープ、第１アンテナ基材、第１定置用粘着剤層、中間基材層、第２定置用粘着剤層、第２アンテナ基材をこの順序で含む積層構造の無線タグラベルを実現することができる。
【００１５】
第４発明は、上記第３発明において、前記第１テープは、前記中間基材層と協働して前記第１無線タグ回路素子を配置するための第１基材層を備えることを特徴とする。
【００１６】
これにより、積層構造中において、第１基材層と中間基材層とで第１無線タグ回路素子入りの第１アンテナ基材を安定的に保持することができる。
【００１７】
第５発明は、上記第４発明において、所定の印字がなされた被印字テープ層を有し、前記第１テープは、前記第１基材層の前記第１無線タグ回路素子と反対側に設けられ、前記被印字テープ層と前記第１基材層とを貼り合わせるための貼り合わせ用粘着剤層を備えることを特徴とする。
【００１８】
これにより、互いに異なる周波数を用いる複数の無線タグ回路素子を積層構造内に配置するとともに被印字テープ層に所定の印字を施した、印字つきの無線タグラベルを実現することができる。この結果、ＩＣ回路部に記憶された無線タグ情報とは別に、その無線タグ情報に関連した情報を被印字テープ層に印字しておくようにすることで、ユーザ側からその関連情報をラベル上で視認することができ、さらに利便性を向上することができる。
【００１９】
第６発明は、上記第４発明において、前記第１テープは、前記第１基材層の前記第１無線タグ回路素子と反対側に設けられ、印字形成可能な被印字材料により構成された被印字層を有することを特徴とする。
【００２０】
これにより、互いに異なる周波数を用いる複数の無線タグ回路素子を積層構造内に配置するとともに被印字層に所定の印字を形成した、印字つきの無線タグラベルを実現することができる。この結果、ＩＣ回路部に記憶された無線タグ情報とは別に、その無線タグ情報に関連した情報を被印字層に印字しておくようにすることで、ユーザ側からその関連情報をラベル上で視認することができ、さらに利便性を向上することができる。
【００２１】
第７発明は、上記第１乃至第６発明のいずれかにおいて、前記第２アンテナ基材を夾んで前記第２定置用粘着剤層と反対側に設けられた第２テープを有することを特徴とする。
【００２２】
これにより、貼り付け側の反対側より貼り付け側に向かって、第１アンテナ基材、第１定置用粘着剤層、中間基材層、第２定置用粘着剤層、第２アンテナ基材、第１テープをこの順序で含む積層構造の無線タグラベルを実現することができる。
【００２３】
第８発明は、上記第７発明において、前記第２テープは、前記中間基材層と協働して前記第２無線タグ回路素子を配置するための第２基材層を備えることを特徴とする。
【００２４】
これにより、積層構造中において、第２基材層と中間基材層とで第２無線タグ回路素子入りの第２アンテナ基材を安定的に保持することができる。
【００２５】
第９発明は、上記第８発明において、前記第２テープは、ラベル全体を貼り付け対象に貼り付けるための貼り付け用粘着剤層を備えることを特徴とする。
【００２６】
これにより、ラベル全体を貼り付け対象に貼り付ける構成を容易に実現することができる。
【００２７】
第１０発明は、上記第８又は第９発明において、前記第２テープは、前記第２無線タグ回路素子を貼り付け対象から離間させるための発泡材層を備えることを特徴とする。
【００２８】
発泡材層によって、第２無線タグ回路素子を貼り付け面から離間させた状態を確実に実現することができる。この結果、金属の貼り付け面（又は金属が近くに存在する貼り付け面）に無線タグラベルを貼り付けた場合であっても通信障害を招くことがなく、通信の円滑性・信頼性をさらに確実に確保することができる。
【００２９】
第１１発明は、上記第１乃至第１０発明のいずれかにおいて、前記第１無線タグ回路素子及び前記第２無線タグ回路素子を、平面視において互いに重なる部分がないように、テープ幅方向に離間させて配置したことを特徴とする。
【００３０】
２つの無線タグ回路素子を互いに平面視においてずれた位置となるようにテープ幅方向に離間させて配置することにより、一方側の無線タグ回路素子への通信に対し他方側の無線タグ回路素子が障害要素となる可能性を低減することができる。
【００３１】
第１２発明は、上記第１乃至第１０発明のいずれかにおいて、前記第１無線タグ回路素子及び前記第２無線タグ回路素子を、平面視において互いに重なる部分がないように、テープ長手方向に離間させて配置したことを特徴とする。
【００３２】
２つの無線タグ回路素子を互いに平面視においてずれた位置となるようにテープ長手方向に離間させて配置することにより、一方側の無線タグ回路素子への通信に対し他方側の無線タグ回路素子が障害要素となる可能性を低減することができる。
【００３３】
第１３発明は、上記第１乃至第１２発明のいずれかにおいて、前記第１及び第２無線タグ回路素子のうち、一方が短波を通信周波数とする短波用無線タグ回路素子であり、他方が極超短波を通信周波数とする極超短波用無線タグ回路素子であることを特徴とする。
【００３４】
これにより、短波と極超短波との互いの欠点を補いつつ利点を活用することで、信頼性の高い情報通信を確実に行うことができる。
【００３５】
第１４発明は、上記第１３発明において、前記第２テープは、前記第２基材層又は前記貼り付け用粘着剤層若しくは前記発泡材層を、磁性材料により構成したことを特徴とする。
【００３６】
これにより、金属の貼り付け面（又は金属が近くに存在する貼り付け面）に無線タグラベルを貼り付けた場合であっても、第２無線タグ回路素子とその貼り付け面との間に磁性材料を介在させることで、磁気誘導による第２無線タグ回路素子との通信において通信障害が発生するのを防止することができる。この結果、通信の円滑性・信頼性をさらに確実に確保することができる。
【００３７】
第１５発明は、上記第１４発明において、前記第１無線タグ回路素子は、電波の反射により通信を行う無線タグ回路素子であり、前記第２無線タグ回路素子は、磁気誘導により通信を行う無線タグ回路素子であることを特徴とする。
【００３８】
第２テープ層に含まれる第２無線タグ回路素子が磁気誘導による短波帯での通信である場合には、第２テープに磁性材料層を設けることで特に通信障害を効果的に防止できる。
【００３９】
上記目的を達成するために、第１６発明は、情報を記憶するＩＣ回路部と情報の送受信を行うアンテナとを備え、第１の通信周波数に対応した第１無線タグ回路素子を配置した略シート状の第１アンテナ基材と、情報を記憶するＩＣ回路部と情報の送受信を行うアンテナとを備え、前記第１の通信周波数とは異なる第２の通信周波数に対応した第２無線タグ回路素子を配置した略シート状の第２アンテナ基材と、前記第１アンテナ基材と前記第２アンテナ基材とのテープ厚さ方向中間部に設けられた略テープ状の中間基材層と、前記中間基材層に対し前記第１アンテナ基材を定置させるための第１定置用粘着剤層と、前記中間基材層に対し前記第２アンテナ基材を定置させるための第２定置用粘着剤層とを有することを特徴とする。
【００４０】
本願第１６発明のタグテープにおいては、中間基材層の一方側に第１定置用粘着剤層を介して第１無線タグ回路素子入りの第１アンテナ基材を配置し、中間基材層の他方側に第２定置用粘着剤層を介して第２無線タグ回路素子入りの第２アンテナ基材を配置する。これにより、このようなタグテープを用いてラベルを作成することで、互いに異なる周波数を用いる複数の無線タグ回路素子を積層構造内に配置した無線タグラベルを実現することができる。このように構成した無線タグラベルでは、ラベル化により利便性を向上できるとともに、それぞれに利点と欠点とがある複数の通信周波数を併用することで互いの通信周波数の欠点を補うことができるので、信頼性の高い情報通信を確実に行うことができる。この結果、さらにラベルを場所を選ばずに多種多様なところに貼り付けることができる。
【００４１】
第１７発明は、上記第１６発明において、前記第１アンテナ基材を夾んで前記第１定置用粘着剤層と反対側に設けられ、前記中間基材層と協働して前記第１無線タグ回路素子を配置するための第１基材層を有することを特徴とする。
【００４２】
これにより、貼り付け側の反対側より貼り付け側に向かって、第１基材層、第１アンテナ基材、第１定置用粘着剤層、中間基材層、第２定置用粘着剤層、第２アンテナ基材をこの順序で含む積層構造の無線タグラベルを作成することができる。また積層構造中において、第１基材層と中間基材層とで第１無線タグ回路素子入りの第１アンテナ基材を安定的に保持することができる。
【００４３】
第１８発明は、上記第１７発明において、前記第１基材層の前記第１無線タグ回路素子と反対側に設けられ、所定の印字がなされた被印字テープ層と前記第１基材層とを貼り合わせるための貼り合わせ用粘着剤層を有することを特徴とする。
【００４４】
これにより、このタグテープを用いて、互いに異なる周波数を用いる複数の無線タグ回路素子を積層構造内に配置するとともに被印字テープ層に所定の印字を施した、印字つきの無線タグラベルを作成することができる。
【００４５】
第１９発明は、上記第１７発明において、前記第１基材層の前記第１無線タグ回路素子と反対側に設けられ、印字形成可能な被印字材料により構成された被印字層を有することを特徴とする。
【００４６】
これにより、このタグテープを用いて、互いに異なる周波数を用いる複数の無線タグ回路素子を積層構造内に配置するとともに被印字層に所定の印字を形成した、印字つきの無線タグラベルを作成することができる。
【００４７】
第２０発明は、上記第１６乃至第１９発明のいずれかにおいて、前記第２アンテナ基材を夾んで前記第２定置用粘着剤層と反対側に設けられ、前記中間基材層と協働して前記第２無線タグ回路素子を配置するための第２基材層を有することを特徴とする。
【００４８】
これにより、貼り付け側の反対側より貼り付け側に向かって、第１アンテナ基材、第１定置用粘着剤層、中間基材層、第２定置用粘着剤層、第２アンテナ基材、第２基材層をこの順序で含む積層構造の無線タグラベルを作成することができる。また積層構造中において、第２基材層と中間基材層とで第２無線タグ回路素子入りの第２アンテナ基材を安定的に保持することができる。
【発明の効果】
【００４９】
本発明によれば、通信信頼性を向上しつつ、ラベル化による利便性の向上を図ることができる。
【発明を実施するための最良の形態】
【００５０】
以下、本発明の一実施の形態を図面を参照しつつ説明する。
【００５１】
図１は、本発明の無線タグラベルの一実施形態を表わす平面図、図２は、図１の無線タグラベルの層構造を模式的に表わす断面図である。
【００５２】
図１及び図２において、本実施形態の無線タグラベルＴは、ラベル厚さ方向上側と下側にそれぞれ通信周波数の異なる第１及び第２の無線タグ回路素子Ｔo1，Ｔo2を備えた多層構造に形成されている。
【００５３】
すなわち、無線タグラベルＴは、貼り付け状態での上面側（図２中上側）よりその反対側（図２中下側）に向かって、カバーフィルム２０（被印字テープ層）、貼り合わせ用粘着剤層２１、第１基材層２２、上粘着剤層２３、第１無線タグ回路素子Ｔo1を備えた略シート状の第１アンテナ基材１２（「第１タグ」と略示）、第１定置用粘着剤層２４、略テープ状の中間基材層２５、第２定置用粘着剤層２６、第２無線タグ回路素子Ｔo2を備えた略シート状の第２アンテナ基材１６（「第２タグ」と）、下粘着剤層２７、第２基材層２８、貼り付け用粘着材層２９、および剥離紙（剥離材層）３０の１３層の積層構造を備えている。
【００５４】
中間基材層２５は、第１アンテナ基材１２と第２アンテナ基材１６とのラベル厚さ方向中間部に備えられている。この中間基材層２５の上面に上記第１定着用粘着剤層２４が設けられ、この第１定着用粘着剤層２４を介して第１アンテナ基材１２が定置されている。また、中間基材層２５の下面に上記第２定着用粘着剤層２６が設けられ、この第２定着用粘着剤層２６を介して第２アンテナ基材１６が定置されている。
【００５５】
このとき、第１アンテナ基材１２を夾んで第１定置用粘着剤層２４と反対側（上側）では、貼り合わせ用粘着剤層２１、第１基材層２２、及び上粘着剤層２３により第１テープ３１（上テープ）が構成されている。第１テープ３１の第１基材層２２が上粘着剤層２３を介し第１アンテナ基材１２に接することで、（第１定着用粘着剤層２４を介し）中間基材層２５と協働して第１アンテナ基材１２を配置し、第１アンテナ基材１２を安定的に保持している。この第１テープ３１の貼り合わせ用粘着剤層２１は、上記第１基材層２２の第１アンテナ基材層１２と反対側に設けられており、貼り合わせ用粘着剤層２１により被印字層としての上記カバーフィルム２０が第１基材層２２に貼り合わせられている。
【００５６】
また、第２アンテナ基材１６を夾んで第２定置用粘着剤層２６と反対側（下側）では、下粘着剤層２７、第２基材層２８、及び貼り付け用粘着剤層２９により第２テープ３２（下テープ）が構成されている。第２テープ３２の第２基材層２８が下粘着剤層２７を介して第２アンテナ基材１６に接することで、（第２定着用粘着剤層２６を介し）中間基材層２５と協働して第２アンテナ基材１６を安定的に保持している。この第２テープ３２の貼り付け用粘着剤層２９は、上記第２基材層２８の第２アンテナ基材層１６と反対側に設けられており、剥離紙３０によって覆われている。剥離紙３０を剥がすと貼り付け用粘着剤層２９が露出して、貼り付け用粘着剤層２９により無線タグラベルＴを貼付け対象に貼り付けることができ、無線タグラベルＴの全体を貼付け対象に貼り付けることができる。
【００５７】
なお、上記カバーフィルム２０は、例えば透明のＰＥＴ（ポリエチレンテレフタラート）等から構成されており、この例では裏面に、印刷により所定の印字Ｒ（この例では無線タグラベルＴの種類を示す「ＲＦ−ＩＤ」の文字）が（鏡像印字により）施されている。上記貼り合わせ用粘着剤層２１、第１定置用粘着剤層２４、第２定置用粘着剤層２６、貼り付け用粘着剤層２９はいずれも、適宜の粘着剤により構成されている。上記第１基材層２２、中間基材層２５、第２基材層２８は、例えば色つきのＰＥＴ（ポリエチレンテレフタラート）等から構成されている。
【００５８】
第１無線タグ回路素子Ｔo1は、ラベル長手方向に延びる略シート状の第１アンテナ基材１２に設けられている。この第１無線タグ回路素子Ｔo1は、この例では、第１通信周波数としてのＵＨＦ（極超短波）を主として用いて通信するもので、情報を記憶するＩＣ回路部１０と、主としてＵＨＦの高周波を用いて情報の送受信を行う１対のダイポールアンテナ１１とを有し、ラベル長手方向に第１アンテナ基材１２に延設されている。すなわち、この例では、ＩＣ回路部１０は第１アンテナ基材１２の長手方向略中央で幅方向略中央の位置に配置されている。１対のダイポールアンテナ１１は、ＩＣ回路部１０より第１アンテナ基材１２の長手方向両側から第１アンテナ基材１２の幅方向に互いに反対方向に偏倚させつつ長手方向に反対方向に延びるように配置されている。
【００５９】
第２無線タグ回路素子Ｔo2は、ラベル長手方向に延びる略シート状の第２アンテナ基材１６に設けられている。この第２無線タグ回路素子Ｔo2は、この例では、上記第１通信周波数とは異なる第２通信周波数としてのＨＦ（短波）を主として用いて磁気誘導により通信するもので、情報を記憶するＩＣ回路部１４と、主としてＨＦの高周波を用いて情報の送受信を行うループコイルアンテナ１５とを有し、ラベル長手方向に第２アンテナ基材１６に延設されている。すなわち、この例では、ＩＣ回路部１４は第２アンテナ基材１６の長手方向略中央で幅方向略一方側の位置に配置され、ループコイルアンテナ１５はそのループの幅方向の一方側にＩＣ回路部１４を介設したようにループを描いて第２アンテナ基材１６の長手方向に延びて配置されている。
【００６０】
本実施形態においては、以上説明したように、中間基材層２５の一方側に第１定置用粘着剤層２４を介して第１無線タグ回路素子Ｔo1を含む第１アンテナ基材１２を配置し、中間基材層２５の他方側に第２定置用粘着剤層２６を介して第２無線タグ回路素子Ｔo2を含む第２アンテナ基材１６を配置している。この結果、互いに異なる周波数を用いる複数の無線タグ回路素子Ｔo1，Ｔo2を積層構造内に配置した無線タグラベルＴを実現することができる。
【００６１】
このように構成した無線タグラベルＴによれば、無線タグをラベル化することで、対象となる物品等に対し手軽に貼り付けることができ、利便性を向上することができる。また、互いに異なる周波数（上記第１周波数と第２周波数）を用いる無線タグ回路素子Ｔo1，Ｔo2を積層構造内に配置し、それぞれに利点と欠点とがある複数の通信周波数を併用することで、互いの通信周波数の欠点を補うことができる。すなわち、上記の例に即して説明すると、磁気誘導により１３．５６ＭＨｚ等の短波を用いて無線通信を行う場合、通信安定性が高いという利点があるが、通信距離が短い。２．４５ＧＨｚ等の極超短波を用いて無線通信を行う場合、通信距離は長いが、マルチパスの影響などにより通信が不安定になりやすく正確な情報が得られない懼れがあり、また他の無線局との混信の懼れもある。さらに水分を含む対象物に貼り付けた場合は通信障害が生じやすい。本実施形態では、これら２つの通信周波数（短波と超短波）を併用することで、無線タグラベルＴ全体として、通信距離を比較的長くとることができ、水分や混信にも障害されにくい通信を実現することができる。この結果、信頼性の高い情報通信を確実に行うことができ、この結果、さらにラベルを場所を選ばずに多種多様なところに貼り付けることができる。
【００６２】
本実施形態では特に、貼り合わせ用粘着剤層２１により被印字層としての上記カバーフィルム２０が第１基材層２２に貼り合わせられている。これにより、互いに異なる周波数を用いる複数の無線タグ回路素子Ｔo1，Ｔo2を積層構造内に配置するとともにカバーフィルム２０に所定の印字を施した、印字付きの無線タグラベルを実現することができる。これにより、ＩＣ回路部１０，１４に記憶された無線タグ情報とは別に、その無線タグ情報に関連した情報をカバーフィルム２０に印字しておくようにすることで、ユーザ側からその関連情報をラベルＴ上で視認することができ、さらに利便性を向上することができる。
【００６３】
なお、上記では、中間基材層２５は、第１定置用粘着剤層２４および第２定置用粘着剤層２６と別体に構成したが、中間基材層２５を第１定置用粘着剤層２４および第２定置用粘着剤層２６とともに一体の両面粘着テープとして構成することができる。
【００６４】
本発明は上記実施形態に限られず、その技術思想及び趣旨を逸脱しない範囲でさらに種々の変形が可能である。以下、それら変形例を示す。
【００６５】
（１）被印字層として感熱層を備える場合
上記実施形態では、無線タグラベルＴの被印字層としてカバーフィルム２０を用い、裏面に印刷により印字を施したカバーフィルム２０を貼り合わせ用粘着剤層２１により第１基材層２２に貼り合わせたが、本発明はこれに限られない。第１基材層２２に印字形成可能な被印字材料により構成された被印字層を設けて、その被印字層の表面に印字を施すようにしてもよい。
【００６６】
図３は、本変形例による無線タグラベルの層構造を模式的にあらわす断面図である。上記実施形態と同等の部分には同一の符号を付し、適宜説明を省略又は簡略化する。この図３において、本変形例の無線タグラベルＴaは、第１アンテナ基材１２の中間基材層２５とは反対側に設けられる第１テープ３１ａが、第１基材層２２および上粘着剤層２３を有するが、貼り合わせ用粘着剤層を備えない。そして、第１テープ３１ａの第１基材層２２に、被印字層として、熱により発色し印字形成可能な感熱材料（印字材料）からなる感熱層３３が設けられている。
【００６７】
本変形例の無線タグラベルＴaによっても、上記実施形態と同様、互いに異なる周波数を用いる複数の無線タグ回路素子Ｔo1，Ｔo2を積層構造内に配置するとともに感熱層３３に感熱方式により所定の印字を形成した、印字付きの無線タグラベルを実現することができる。
【００６８】
（２）被印字層として転写層を備える場合
図４は、本変形例による無線タグラベルの層構造を模式的に表わす断面図である。上記実施形態と同等の部分には同一の符号を付し、適宜説明を省略又は簡略化する。この図４において、本変形例の無線タグラベルＴｂは、第１テープ３１ａの第１基材層２２に、被印字層として、インクリボンからの熱転写により印字形成可能な被転写材料（印字材料）からなる転写層３４（レセプタ層）が設けられている。
【００６９】
本変形例の無線タグラベルＴｂによっても、上記実施形態と同様、互いに異なる周波数を用いる複数の無線タグ回路素子Ｔo1，Ｔo2を積層構造内に配置するとともに転写層３４に転写により所定の印字を形成した、印字付きの無線タグラベルを実現することができる。
【００７０】
（３）被印字層として受像層を備える場合
図５は、本変形例による無線タグラベルの層構造を模式的にあらわす断面図である。上記実施形態と同等の部分には同一の符号を付し、適宜説明を省略又は簡略化する。この図５において、本変形例の無線タグラベルＴcは、第１テープ３１ａの第１基材層２２に、被印字層として、インクを塗布することで印字形成可能な受像材料（印字材料）からなる受像層２００受像層３５が設けられている。
【００７１】
本変形例の無線タグラベルＴcによっても、上記実施形態と同様、互いに異なる周波数を用いる複数の無線タグ回路素子Ｔo1，Ｔo2を積層構造内に配置するとともに受像層３５にインクにより所定の印字を形成した、印字付きの無線タグラベルを実現することができる。
【００７２】
（４）第２テープに発泡材層を備える場合
本変形例は、無線タグラベルＴを貼り付け対象に貼り付けたときに、貼り付け面に近い側の第２無線タグ回路素子Ｔo2を貼り付け面から離すために発泡材層を設けるものである。図６は、本変形例の無線タグラベルの層構造を模式的に表わす断面図であり、上記実施形態の図２に相当する図である。図２と同等の部分には同一の符号を付し、適宜説明を省略又は簡略化する。
【００７３】
図６において、本変形例の無線タグラベルＴdは、第２アンテナ基材１６（第２タグ）の中間基材層２５とは反対側に設けられる第２テープ３２ａが、下粘着剤層２７、第２基材層２８および貼り付け用粘着剤層２９を備える他に、下粘着剤層２７と第２基材層２８との間に発泡材層３６を配置している。発泡材層は、例えば、ポリエチレン系やオレフィン系の樹脂あるいはリグレン樹脂等を用いて構成することができる。
【００７４】
本変形例の無線タグラベルＴdによれば、第２アンテナ基材１６（第２タグ）の中間基材層２５とは反対側に設けられる第２テープ３２ａに発泡材層３６を配置したので、第２無線タグ回路素子Ｔo2を貼り付け面から離間させた状態を確実に実現することができる。この結果、金属の貼り付け面又は金属が近くに存在する貼り付け面に無線タグラベルＴdを貼り付けた場合であっても通信障害を招くことがなく、通信の円滑性・信頼性をさらに確実に確保することができる。
【００７５】
なお、図７に示す無線タグラベルＴeのように、第２テープ３２ａに設ける発泡材層３６を第２基材層２８と貼り付け用粘着剤層２９との間に配置してもよい。この変形例によっても、上記無線タグラベルＴdと同様の効果を得ることができる。
【００７６】
さらに以上のように、新たな発泡材層３６を第２基材層２８の上または下に設けるのにも限られず、第２基材層２８そのものを発泡材で形成し発泡材層を兼ねさせてもよい。この場合も上記と同様の効果を得る。
【００７７】
（５）第２テープを構成する一部の層を磁性材料で形成した場合
本変形例は、無線タグラベルＴの貼り付け対象として、金属の貼り付け面に貼り付けたときに、貼り付け面に近い側の第２無線タグ回路素子Ｔo2との通信に磁気誘導による影響が生じるのを防止するために、磁性材料を用いて第２無線タグ回路素子Ｔo2との通信に磁気誘導による影響が生じるのを防止するものである。
【００７８】
図８は、本変形例の無線タグラベルの層構造を模式的に表わす断面図であり、上記実施形態の図２に相当する図である。図２と同等の部分には同一の符号を付し、適宜説明を省略又は簡略化する。
【００７９】
図８において、本変形例の無線タグラベルＴfは、第２テープ３２ｃが、第２基材層として磁性材料で形成した磁性第２基材層３７を備えている。その他の点は、図２に示した上記実施形態と同様である。
【００８０】
本変形例の無線タグラベルＴｆによれば、第２テープ３２の第２基材層３７を磁性材料で構成している。したがって、無線タグラベルＴfを貼り付け対象の金属の貼り付け面または金属が近くに存在する貼り付け面に貼り付けた場合であっても、第２無線タグ回路素子Ｔo2とその貼り付け面との間に磁性材料を介在させ、磁気誘導による第２無線タグ回路素子Ｔo2との通信において通信障害が発生するのを防止することができる。この結果、通信の円滑性・信頼性をさらに確実に確保することができる。
【００８１】
なお、上記に限られず、第２テープ３２を構成する他の層、すなわち下粘着剤層２７や貼り付け用粘着剤層２９等を磁性材料で形成してもよい。この場合も同様の効果を得る。また、そのような磁性材料層を上記（４）の発泡材層と併せて設置してもよいし、発泡材層に磁性材料を混入させる等により両方の機能を兼ね備えた層として構成してもよい。
【００８２】
また、上記においては、無線タグラベルＴの厚さ方向に上下に位置する第１及び第２の無線タグ回路素子Ｔo1，Ｔo2は、（それぞれのアンテナ基材１２，１６がラベル長手方向に位置させた状態において）平面視において長手方向に互いに重なるように設けた。しかしながらこれに限られず、第１及び第２の無線タグ回路素子Ｔo1，Ｔo2を平面視において長手方向に一部分のみが重なるようにしてもよいし、或いは、第１及び第２の無線タグ回路素子Ｔo1，Ｔo2を互いに直交させた態様で部分的に又は全部が重なるようにしてもよい。
【００８３】
（６）第１無線タグ回路素子と第２の無線タグ回路素子とをラベル幅方向にずらして配置する場合
すなわち、第１及び第２の無線タグ回路素子Ｔo1，Ｔo2を平面視において互いに重なる部分がないように設けてもよい。本変形例は、第１及び第２の無線タグ回路素子Ｔo1，Ｔo2をラベル幅方向にずらして配置した場合である。
【００８４】
図９は、本変形例の無線タグラベルの無線タグ回路素子の配置を表わす平面図である。上記実施形態と同等の部分には同一の符号は付し、説明を省略又は簡略化する。
【００８５】
図９において、本変形例の無線タグラベルＴgは、第１無線タグ回路素子Ｔo1を備えた第１アンテナ基材１２をラベル幅方向一方寄り（図９中上側寄り）に配置し、第２無線タグ回路素子Ｔo2を備えた第２アンテナ基材１６をラベル幅方向他方寄り（図９中下側寄り）に配置している。これにより、平面視において第１及び第２の無線タグ回路素子Ｔo1，Ｔo2が互いに重ならないように、ラベル幅方向に離間して設けられている。
【００８６】
図１０に、本変形例の無線タグラベルの貼り付け対象への貼り付け例を示す。この例では、貼り付け対象４０は直方体状の箱体である。この貼り付け対象４０に対して、無線タグラベルＴgは、第１及び第２のアンテナ基材１２，１６の間で幅方向に山折りに折り返して貼り付けられている。すなわち、第１アンテナ基材１２が位置する、無線タグラベルＴgの一方の折り返し片を貼り付け対象４０の側面４０ａに貼り付け、第２アンテナ基材１６が位置する、無線タグラベルＴgの他方の折り返し片を貼り付け対象４０の上面４０ｂに貼り付けている。これにより、貼り付け対象４０の側面４０ａに第１無線タグ回路素子Ｔo1が取り付けられ、貼り付け対象４０の上面４０ｂに第２無線タグ回路素子Ｔo２が取り付けられている。
【００８７】
本変形例においても、上記実施形態と同様の効果を得ることができる。またこれに加え、２つの無線タグ回路素子Ｔo1，Ｔo2を互いに平面視においてずれた位置となるようにテープ幅方向に離間させて配置するようにしたので、第１及び第２の無線タグ回路素子Ｔo1，Ｔo2の一方側、例えば第１無線タグ回路素子Ｔo1への通信に対し他方側の第２無線タグ回路素子Ｔo2が障害要素となる可能性を低減することができる。
【００８８】
（７）第１無線タグ回路素子と第２の無線タグ回路素子とをラベル長手方向にずらして配置する場合
すなわち、第１及び第２の無線タグ回路素子Ｔo1，Ｔo2を平面視において互いに重なる部分がないように、第１及び第２の無線タグ回路素子Ｔo1，Ｔo2をラベル長手方向にずらして配置してもよい。
【００８９】
図１１は、本変形例の無線タグラベルの無線タグ回路素子の配置を表わす平面図である。上記実施形態と同等の部分には同一の符号は付し、説明を省略又は簡略化する。
【００９０】
図１１において、本変形例の無線タグラベルＴhは、第１無線タグ回路素子Ｔo1を備えた第１アンテナ基材１２をラベル幅方向中央位置でラベル長手方向一方寄り（図１１中左側寄り）に配置し、第２無線タグ回路素子Ｔo2を備えた第２アンテナ基材１６をラベル幅方向中央位置でラベル長手方向他方寄り（図１１中右側寄り）に配置している。これにより、平面視において第１及び第２の無線タグ回路素子Ｔo1，Ｔo2が互いに重ならないように、ラベル長手方向に離間して設けられている。
【００９１】
本変形例によっても、上記実施形態と同様の効果を得ることができる。また、前述と同様、２つの無線タグ回路素子Ｔo1，Ｔo2を互いに平面視においてずれた位置となるように配置したので、第１及び第２の無線タグ回路素子Ｔo1，Ｔo2の一方への通信に対し他方が障害要素となる可能性を低減することができる。
【００９２】
なお、図１２に示すように、第１及び第２の無線タグ回路素子Ｔo1，Ｔo2をラベル長手方向に離間して配置するとき、その一方（この例では第２無線タグ回路Ｔo2）の向きをその長手方向がラベル幅方向となるように配置してもよい。この場合も同様の効果を得る。
【００９３】
（８）その他
以上においては、上テープ３１，３１ａにおいて第１基材層２２の下部（貼り付け側）に上粘着剤層２３を設けていたが、これに限られない。すなわち上粘着剤層２３を省略し、上テープ３１，３１ａと中間基材層２５とを、第１定置用粘着剤層２４による粘着力で接着するようにしてもよい。また図２や図６、図７、図８に示すカバーフィルム２０を備える層構造においては、上粘着剤層２３のみならず第１基材層２２を省略することも考えられる。これらの場合も上記実施形態と同様の効果を得られる。また層が省略されて少なくなる分、ラベル全体の厚さ方向寸法が低減されるので、より皺を寄りにくくすることができる。
【００９４】
また下テープ３２，３２ａ，３２ｂ，３２ｃについても同様、下粘着剤層２７を省略し、下テープ３２，３２ａ，３２ｂ，３２ｃと中間基材層２５とを、第２定置用粘着剤層２６による粘着力で接着するようにしてもよい。また図２〜図７に示す各層構造においては、下粘着剤層２７のみならず第２基材層２８を省略することも考えられる。これらの場合も上記実施形態と同様の効果を得られる。また層が省略されて少なくなる分、ラベル全体の厚さ方向寸法が低減されるので、より皺を寄りにくくすることができる。
【００９５】
また、以上においては、無線タグラベルに（互いに異なる通信周波数の）無線タグ回路素子を２つ設けた場合を例にとって説明したが、３つ以上の無線タグ回路素子を設けてもよい。この場合に、すべての無線タグ回路素子が異なる通信周波数である必要はなく、全体として、少なくとも２種類の通信周波数を用いるようになっていれば足りる。
【００９６】
なお、以上説明したすべての無線タグラベルＴ，Ｔａ，Ｔｂ，Ｔｃ，Ｔｄ，Ｔｅ，Ｔｆ，Ｔｇ，Ｔｈ，Ｔｋは、各ラベルと同様の層構造を持つテープ（タグテープ）を所定の切断手段で切断して構成することも可能である。この場合、そのようなタグテープを用いて構成した上記無線タグラベルＴ，Ｔａ，Ｔｂ，Ｔｃ，Ｔｄ，Ｔｅ，Ｔｆ，Ｔｇ，Ｔｈ，Ｔｋにおいて、前述した効果を得ることができる。
【００９７】
その他、既に述べた以外にも、上記実施形態や各変形例による手法を適宜組み合わせて利用しても良い。一々例示はしないが、本発明は、その趣旨を逸脱しない範囲内において、種々の変更が加えられて実施されるものである。
【図面の簡単な説明】
【００９８】
【図１】本発明の無線タグラベルの一実施形態を表わす平面図である。
【図２】図１の無線タグラベルの層構造を模式的に表わす断面図である。
【図３】被印字層として感熱層を備える場合の変形例における無線タグラベルの層構造を模式的に表わす断面図である。
【図４】被印字層として転写層を備える場合の変形例における無線タグラベルの層構造を模式的に表わす断面図である。
【図５】被印字層として受像層を備える場合の変形例における無線タグラベルの層構造を模式的に表わす断面図である。
【図６】第２テープに発泡材層を備える場合の変形例における無線タグラベルの層構造を模式的に表わす断面図である。
【図７】第２テープに発泡材層を備える場合の変形例における無線タグラベルの層構造を模式的に表わす断面図である。
【図８】第２テープの構成層を磁性材料で形成した場合の変形例における無線タグラベルの層構造を模式的に表わす断面図である。
【図９】第１及び第２の無線タグ回路素子をラベル幅方向にずらして配置する場合の変形例における無線タグラベルを表わす平面図である。
【図１０】図９の変形例の無線タグラベルの貼り付け対象への貼り付け例を表わす斜視図である。
【図１１】第１及び第２の無線タグ回路素子をラベル長手方向にずらして配置する場合の変形例における無線タグラベルを表わす平面図である。
【図１２】第１及び第２の無線タグ回路素子をタグラベル長手方向にずらして配置する場合の他の変形例における無線タグラベルを表わす平面図である。
【符号の説明】
【００９９】
１０        ＩＣ回路部
１１        ダイポールアンテナ
１２        第１アンテナ基材
１４        ＩＣ回路部
１５        ループコイルアンテナ
１６        第２アンテナ基材
２０        カバーフィルム
２１        貼り合わせ用粘着剤層
２２        第１基材層
２３        上粘着剤層
２４        第１定置用粘着剤層
２５        中間基材層
２６        第２定置用粘着剤層
２７        下粘着剤層
２８        第２基材層
２９        貼り付け用粘着材層
３０        剥離紙
３１        第１テープ
３１ａ      第１テープ
３２        第２テープ
３２ａ〜ｃ  第２テープ
３３        感熱層
３４        転写層
３５        受像層
３６        発泡材層
３７        磁性第２基材層
Ｔ          無線タグラベル
Ｔa〜Ｔh    無線タグラベル
Ｔk         無線タグラベル
Ｔo1        第１無線タグ回路素子
Ｔo2        第２無線タグ回路素子
【図１】
2008191927.tif 000003
【図２】
2008191927.tif 000004
【図３】
2008191927.tif 000005
【図４】
2008191927.tif 000006
【図５】
2008191927.tif 000007
【図６】
2008191927.tif 000008
【図７】
2008191927.tif 000009
【図８】
2008191927.tif 000010
【図９】
2008191927.tif 000011
【図１０】
2008191927.tif 000012
【図１１】
2008191927.tif 000013
【図１２】
2008191927.tif 000014